(57)【要約】【課題】  洗浄性能を向上させる温水洗浄において，洗濯水の洗剤濃度の低下を抑制し，短時間で洗濯水や洗濯物を所定の温度に上げる洗濯乾燥機を提供することにある。【解決手段】  内部に洗濯水を貯留する外槽と，外槽に内包され，洗濯物を収容する回転ドラム又は内槽と，回転ドラム又は内槽を駆動するモータと，回転ドラム又は内槽を支持する筐体と，回転ドラム又は内槽に温風を送風するための送風路と加熱手段と送風手段とを有する乾燥装置と，外槽に溜めた洗濯水を循環させる流路と、を備え、加熱手段に流路の一部を接触または内蔵する。【選択図】図２
2018094112.tif 000002
【特許請求の範囲】
【請求項１】
内部に洗濯水を貯留する外槽と，
該外槽に内包され，洗濯物を収容する回転ドラム又は内槽と，
前記回転ドラム又は前記内槽を駆動するモータと，
前記回転ドラム又は前記内槽を支持する筐体と，
前記回転ドラム又は前記内槽に温風を送風するための送風路と加熱手段と送風手段とを有する乾燥装置と，
前記外槽に溜めた洗濯水を循環させる流路をと、備え、
前記加熱手段に前記流路の一部を接触または内蔵することを特徴とする洗濯乾燥機。
【請求項２】
請求項１に記載の洗濯乾燥機において，
前記洗濯水を循環させて前記洗濯物を洗浄するポンプと配管とを有し，前記ポンプを逆回転または前記配管を切り替えることにより前記洗濯水を前記加熱手段に循環させながら該加熱手段によって加熱することを特徴とする洗濯乾燥機。
【請求項３】
請求項１に記載の洗濯乾燥機において，
前記洗濯水を排水するポンプと配管を有し，前記ポンプを逆回転または前記配管を切り替えることにより前記洗濯水を前記加熱手段に循環させながら該加熱手段によって加熱することを特徴とする洗濯乾燥機。
【発明の詳細な説明】
【技術分野】
【０００１】
本発明は，衣類等の洗濯を行う洗濯機及び洗濯から乾燥まで一貫して行う洗濯乾燥機に関する。
【背景技術】
【０００２】
洗濯機は回転可能な内槽に洗濯物を投入して洗い工程，すすぎ工程，脱水工程を行うものであり，洗濯乾燥機は，前記工程のほかに，さらに乾燥工程を備えたものである。内槽の回転軸が水平もしくは前方を上に向けて傾斜させたドラム式と，回転軸を設置面に対して略垂直としたいわゆるタテ型があるが，各工程での主旨と制御アルゴリズムには大きな差はないため，以下，ドラム式を前提に説明する。洗い工程，すすぎ工程ではドラムを低速で回転させ，ドラム下方に溜まった洗濯物を持ち上げて，ドラム上方から落下させるタンブリング動作を行う。このタンブリング動作により，洗濯物に機械的な力を与えて洗浄およびすすぎを行っている。特にこの動作を伴う洗浄を，たたき洗いと呼んでいる。脱水工程時ではドラムを高速で回転させ，回転による遠心力で洗濯物から水分を押し出す遠心脱水を行う。
【０００３】
また，洗い工程において，洗浄効果を高めるために循環ポンプを設けて，洗濯槽（外槽）内の洗濯水を汲み上げて洗濯物にかけることで，洗剤が溶けた洗濯水を洗濯物に満遍なく浸透させる。このように，ドラム式洗濯機は，タンブリング動作と循環ポンプによる洗濯水の強制循環により，少ない水でも洗浄性能が確保できるので，タテ型洗濯機と比較して節水することができるようになっている。
【０００４】
さらに，洗浄力を高める方法の一つとして，洗浄温度を上げることが行われる。すなわち，洗濯物および洗濯水の温度を上げることで，洗剤酵素の働きを高めたり，洗濯水中の界面活性剤などの拡散を促進させることで洗浄力を高めることができる。ドラム内に洗濯水を十分に満たして外槽下部に洗濯水を常に溜めた状態での洗濯に対しては，外槽下部に設けた加熱手段を用いて，外槽下部の洗濯水を温めていく温水洗浄がある。
【０００５】
また，乾燥工程では，低湿高温の温風を洗濯物に当てる温風乾燥を基本とした場合，循環空気の加熱を要する。加熱源にヒータを用いる場合は，加熱した温風からの放熱損失を極力小さくするために，ファンからの送風をドラムに導くダクト内もしくはファンユニット内にヒータを設けて，温風に加熱するのが好ましい。
【０００６】
これらの温風用ヒータと温水用ヒータを一つのヒータとしたものに，特許文献１がある。特許文献１では水槽（外槽）の底部にヒータと水槽内に空気を吹き込む送風機が取り付けられ，送風ファンは水槽の内側に配置される。水槽内に洗濯水が供給されるとヒータは徐々に洗濯水に浸って行き，洗濯水を加熱する。水位がさらに上昇し，回転している送風ファンの下端に水面が触れると洗濯水の攪拌を始める。攪拌により洗濯水に流動が生じ，洗濯水は効率良く加熱されると記載されている。また，特許文献２では水槽（外槽）の内部に脱水槽（内槽）と脱水槽の内下部に撹拌体を回転可能に配設し，水槽側面部にダクトを形成している。ダクトの下端部には吹出口を形成しており，この吹出口が水槽の内部に連通して脱水槽の下部に臨んでいる。吹出口には，ヒータが配設されヒータより上方のダクトに通水口が形成されている。水槽内に洗濯水が供給されるとヒータは洗濯水に浸って，洗濯水を加熱する。また，撹拌体が回転することで，水槽内の水が遠心力によりすり鉢状に水位を上げ，ダクトの通水口から水槽内に還流され，水槽内の水の温水化を更に促進すると記載されている。
【先行技術文献】
【特許文献】
【０００７】
【特許文献１】特開２００７−２２２１９４号公報
【特許文献２】特開２００７−１６７３８５号公報
【発明の概要】
【発明が解決しようとする課題】
【０００８】
しかしながら，攪拌による洗濯水の流動では，ポンプなどを用いた強制循環と比較して流動性が低く，水槽（外槽）内の洗濯水全体を撹拌するには時間を要するため，洗濯水全体を所定の温度に上げるまでに長い時間を要してしまう。また，撹拌体の回転により洗濯水を環流させる場合，撹拌体の高さやダクトなどの環流経路の容積が大きくなると洗濯水の量が多く必要となり，洗濯水全体を所定の温度に上げるまでに長い時間を要してしまう。さらに，洗濯水量が多くなることにより洗剤濃度が低下し，洗浄性能が低下してしまう課題がある。
【０００９】
したがって，洗浄性能を向上させる温水洗浄において洗剤濃度の低下の抑制と，短時間で洗濯水を所定の温度に上げることが可能な洗濯機が望まれている。
【００１０】
そこで，本発明の課題は，温水洗浄において洗浄性能の向上と短時間で洗浄ができる洗濯乾燥機を提供することにある。
【課題を解決するための手段】
【００１１】
このような課題を解決するために，本発明に係る洗濯乾燥機は，内部に洗濯水を貯留する外槽と，該外槽に内包され，洗濯物を収容する回転ドラム又は内槽と，前記回転ドラム又は前記内槽を駆動するモータと，前記回転ドラム又は前記内槽を支持する筐体と，前記回転ドラム又は前記内槽に温風を送風するための送風路と加熱手段と送風手段とを有する乾燥装置と，前記外槽に溜めた洗濯水を循環させる流路を有する洗濯乾燥機において，前記加熱手段に前記流路の一部を接触または内蔵することを特徴とする。
【発明の効果】
【００１２】
本発明によれば，外槽に溜めた洗濯水を循環させる流路の一部を加熱手段に接触または内蔵させることにより，少ない洗濯水量を加熱手段を介して循環させるため，高い洗剤濃度で洗浄できるため洗浄力を向上し，短時間で所定の温度に上昇可能な温水洗浄ができる。
【図面の簡単な説明】
【００１３】
【図１】本発明の第１の実施形態例に係るドラム式洗濯乾燥機を示す外観斜視図である。
【図２】本発明の第１の実施形態例に係るドラム式洗濯乾燥機の内部構造を示す概略断面図である。
【図３】本発明の第１の実施形態例に係るもので循環ポンプによる洗濯水の流れを示す概略断面図である。
【図４】本発明の第１の実施形態例に係るものでヒータユニットの構造と空気の流れを示す斜視図である。
【図５】本発明の第１の実施形態例に係るものでファンによる空気の流れを示す概略断面図である。
【図６】本発明の第１の実施形態例に係るもので循環ポンプによる洗濯水の流れを示す概略断面図である。
【図７】本発明の第１の実施形態例に係るものでヒータユニットの構造と洗濯水の流れを示す斜視図である。
【図８】本発明の第１の実施形態例に係るもので乾燥工程時のファンによる空気の流れを示す概略断面図である。
【図９】本発明の第２の実施形態例に係るもので排水ポンプによる排水時の流れを示す概略断面図である。
【図１０】本発明の第２の実施形態例に係るもので排水ポンプによる洗濯水の循環流れを示す概略断面図である。
【図１１】本発明の第２の実施形態例に係るものでヒータユニットの変形例の構造と洗濯水の流れを示す斜視図である。
【発明を実施するための形態】
【００１４】
以下，本発明の第１の実施形態例のドラム式洗濯乾燥機について，適宜図面を参照しながら説明する。本実施例のドラム式洗濯乾燥機は，洗濯コースと洗濯乾燥コースを選択し，それぞれの洗濯工程において通常の洗濯コースと，洗濯水の温度を上げて洗浄力を向上させる温水洗浄コース，をユーザの選択により実行可能なように構成されている。
【００１５】
図１は，本発明の第１の実施形態例のドラム式洗濯乾燥機を示す外観斜視図である。図２は，図１のドラム式洗濯乾燥機の筐体の側板を外してその内部構造を概略的に示す断面図である。
【００１６】
外郭を構成する筐体１は，ベース１ｈの上に取り付けられており，側板１ａ，前面カバー１ｃ，背面カバー１ｄ，上面カバー１ｅ，下部前面カバー１ｆで構成されている。左右の側板１ａは，コの字型の上補強材（図示せず），前補強材３７，後補強材（図示せず）で結合しており，ベース１ｈを含めて箱状の筐体１を形成している。
【００１７】
符号９は，前面カバー１ｃの略中央に設けた洗濯物３６を出し入れするための投入口を塞ぐドアで，前補強材３７に設けたヒンジ（図示せず）で開閉可能に支持されている。ドア開放ボタン９ｄを押すことでロック機構（図示せず）が外れて開き，ドア９を前面カバー１ｃに押し付けることでロックされて閉じる。前補強材３７は，後記する外槽２の開口部と同心に，洗濯物３６を出し入れするための円形の開口部を有している。
【００１８】
筐体１の上部中央に設けた操作パネル６は，電源スイッチ３９と，操作ボタン１２，１３と，表示器１４と，を備える。なお，操作パネル６は，筐体１の下部に設けた制御装置３８と電気的に接続している。また，操作パネル６の左側には，洗剤や柔軟剤などを投入する引き出し式のトレイ７が設けられている。操作パネル６の右側には，引き出し式の乾燥フィルタ８が設けられている。乾燥フィルタ８は，メッシュ式のフィルタ（図示せず）を備えており，糸くずなどが除去される。また，上面カバー１ｅには，水道栓からの給水ホース接続口１６，風呂の残り湯の吸水ホース接続口１７が設けられている。引き出し式のトレイ７の後側には，給水電磁弁（図示せず），風呂水吸水ポンプ（図示せず），水位センサ（図示せず）等の給水関連部品が設けられている。
【００１９】
回転可能に支持された円筒状の洗濯兼脱水槽（内槽）３は，その外周壁及び底壁に通水及び通風のための多数の貫通孔（図示せず）を有し，前側端面には，洗濯物３６を出し入れするための開口部３ａが設けられている。開口部３ａの外側には洗濯兼脱水槽３と一体の流体バランサ３ｃを備えている。この流体バランサ３ｃは，その内部に比重の大きな流体を封入して構成され，洗濯兼脱水槽３の回転時に洗濯物３６の片寄り等によって偏心が生じたときに，流体バランサ３ｃ内での流体の移動によって偏心をキャンセルし，回転のバランスを維持する働きを有する。洗濯兼脱水槽３の内周壁には，奥行き方向（軸方向）に延びるリフタ３ｂが複数個設けられている。洗濯，乾燥時に洗濯兼脱水槽３が回転すると，洗濯物３６などがリフタ３ｂと遠心力で周壁に沿って持ち上がり，重力で落下するような動きを繰り返すようになっている。また，洗濯兼脱水槽３の回転中心軸は，水平又は開口部側が高くなるように傾斜している。
【００２０】
円筒状の外槽２は，洗濯兼脱水槽３を同軸上に内包し，前面は開口し，後側端面の外側中央にはモータ４を取り付けている。モータ４の回転軸４ａは，外槽２を貫通し，洗濯兼脱水槽３の背面に設けられた金属製のフランジ３ｄと結合している。前面の開口部には，外槽２内への貯水を可能にする外槽カバー２ｄが設けられている。外槽２は，下側をベース１ｈに固定されたダンパ５で防振支持されている。符号１０はゴム製のベローズであり，ドア９を閉じることで外槽２を水封する。
【００２１】
外槽２の底側内周面には，凹状の水受け部２ｆが設けられている。この水受け部２ｆの底面は，前側から後側に下がる傾斜面になっており，水受け部２ｆの後側には排水口２１が設けられ，排水ホース２６が接続されている。排水ホース２６の先端部は，床面３３に設けられた排水口２７に接続されている。
【００２２】
排水ホース２６の途中には，排水弁２５が設けられ，この排水弁２５を閉じて給水することで外槽２内に水が溜められ，排水弁２５を開くことで外槽２内の水が機外へ排出される。外槽２の下部には循環ポンプ２４を設け，循環ホース２４ａ，２４ｂ，２４ｃ，２４ｄを備え，外槽２内の貯留水を循環させる機能を有している。排水弁２５を閉じた状態で循環ポンプ２４のモータ（図示せず）が正回転すると，外槽２内の洗濯水は排水口２１から循環ホース２４ａを通り，フィルタ（図示せず）を介して循環ポンプ２４に入り，吐出ポート（図示せず）から循環ホース２４ｂに送り込まれ，洗濯兼脱水槽３内に散水する。
【００２３】
一方，循環ポンプ２４のモータ（図示せず）が逆回転すると，外槽２内の洗濯水は排水口２１から循環ホース２４ａを通り，フィルタ（図示せず）を介して循環ポンプ２４に入り，吐出ポート（図示せず）から循環ホース２４ｃに流れ，筐体１の上部のファンユニット４０に内蔵されたヒータユニット３１を介して，循環ホース２４ｄを通り洗濯兼脱水槽３内に散水する。
【００２４】
乾燥ダクト２９は，筐体１の背面内側に設置され，外槽２の後部に設けた吸気口２ｃにゴム製の蛇腹ホース２９ａで接続されている。乾燥ダクト２９内には，水冷除湿機構（図示せず）が内蔵されている。また，乾燥ダクト２９の下流側には，ファンユニット４０が設けられている。乾燥運転時には，ファンユニット４０のヒータユニット３１，ファン２８により洗濯兼脱水槽３内に温風４３が吹き込まれるため，洗濯物３６から水分が蒸発する。高温多湿となった空気は，乾燥ダクト２９に吸い込まれ，前記の水冷除湿機構で冷却除湿されて低温空気となり，ヒータユニット３１で加熱され，再度，洗濯兼脱水槽３内に吹き込まれる。
【００２５】
洗濯から乾燥までを行う場合，制御装置３８により，洗い工程，すすぎ工程，（最終）脱水工程，乾燥工程が順に実行される。洗い工程では，投入された洗剤を溶かして洗濯物３６に散布する洗剤溶かし工程を実行する。洗い工程の初期は，工程終了までに使用する全水量よりも少ない給水量で洗剤を溶かして洗濯水を高濃度洗剤液とし，洗濯兼脱水槽３の回転により，洗濯物３６を攪拌させながら洗濯兼脱水槽３による掻き揚げ動作と，循環ポンプ２４による強制循環にて洗濯水を満遍なく散布する。図３に循環ポンプ２４による強制循環時の洗濯水の流れを示す。通常は，外槽２内には洗剤液のしみこんだ洗濯物３６と，外槽２下部の水受け部２ｆに少量の洗剤液が存在する。洗濯兼脱水槽３を回転させることで，洗濯物３６を洗濯兼脱水槽３上部に持ち上げた後，重力により下部まで落下させるタンブリング動作に基づくたたき洗いを行い続けると，洗濯物３６にしみこんだ洗剤液が搾り出されてくるが，洗濯兼脱水槽３の回転に伴う洗濯水の掻き揚げ動作により再び散布される。さらに必要に応じて間欠的に循環ポンプ２４を駆動させて，循環ポンプ２４のモータ（図示せず）を正回転させると，水受け部２ｆの洗濯水は排水口２１から循環ホース２４ａを通り，フィルタ（図示せず）を介して循環ポンプ２４に入り，吐出ポート（図示せず）から循環ホース２４ｂに流れ，搾り出された洗剤液を洗濯物３６に強制散布する。これにより，洗剤濃度が高い洗濯水を洗濯物３６に散布することができ，洗浄性能が向上する。また，循環ポンプ２４による洗濯水の強制散布において，循環ポンプ２４の駆動により発生した熱が洗濯水や洗濯物３６に伝わり，洗浄温度を上げることで洗浄性能が向上する。また，この洗い工程において，ファンユニット４０を駆動させて温風を生成し，洗濯水及び洗濯物３６を温めることができる。図４に本実施例におけるヒータユニット３１の概略構造の斜視図を，図５にファン２８による循環送風時の空気の流れを示す。ファン２８は，いわゆる遠心ファンなどと称されるものであり，ファンケース４１内に，複数枚の羽根で構成された羽根車（図示せず）が収容され，羽根車の周囲にスクロール状（渦巻き状）の流路（図示せず）で構成されている。ヒータユニット３１（図４参照）は，複数のＰＴＣ（Ｐｏｓｉｔｉｖｅ Ｔｅｍｐｅｒａｔｕｒｅ Ｃｏｅｆｆｉｃｉｅｎｔ）ヒータ３１ａの上下に複数の金属製の放熱フィン３１ｂが接合され，ＰＴＣヒータ３１ａから発生した熱が放熱フィン３１ｂに伝わる。ファン２８から吐出された空気４２は放熱フィン３１ｂの間を通過するとき，放熱フィン３１ｂにより加熱され温風４３となり，温風ダクト３０，ベローズ３０ａ，温風吹出ノズル３２を介して洗濯兼脱水槽３内の洗濯水及び洗濯物３６に吹付けられる。これにより，さらに，洗浄温度を上げることで洗浄性能が向上する。
【００２６】
その後の洗い工程において，洗濯兼脱水槽３内に追加給水し，洗濯水を通常の洗濯水量まで増やすと，洗濯兼脱水槽３下部の水受け部２ｆにも十分な水量が確保される。ここで，ユーザの選択により，さらに，短時間で洗濯水及び洗濯物３６の温度を上げる温水洗浄コースの場合は，循環ポンプ２４とヒータユニット３１を用いる。図６に循環ポンプ２４による強制循環時の洗濯水の流れを，図７にヒータユニット３１の概略構造の斜視図と洗濯水の流れを示す。循環ポンプ２４のモータ（図示せず）を逆回転させると，外槽２内の洗濯水は排水口２１から循環ホース２４ａを通り，フィルタ（図示せず）を介して循環ポンプ２４に入り，吐出ポート（図示せず）から循環ホース２４ｃを通り，筐体１の上部のファンユニット４０に内蔵されたヒータユニット３１に送り込まれる。ヒータユニット３１は，複数のＰＴＣヒータ３１ａの上下に複数の金属製の放熱フィン３１ｂが接合され，放熱フィン３１ｂを貫通して金属製の伝熱管３１ｃが嵌合されている。ＰＴＣヒータ３１ａの発熱による放熱フィン３１ｂの熱が伝熱管３１ｃへ伝わり，循環ホース２４ｃから伝熱管３１ｃ内を流れる洗濯水を加熱する。加熱された洗濯水は循環ホース２４ｄを通り洗濯兼脱水槽３内に散水する。ＰＴＣヒータ３１ａの出力，または，循環ポンプ２４による洗濯水の循環流量が多くなるとＰＴＣヒータ３１ａの温度低下とともに，ＰＴＣヒータ３１ａの抵抗値が低下し電流が大きくなることにより，ＰＴＣヒータ３１ａの発熱量が増えるため，循環する洗濯水への加熱量を増加させることができ，洗濯水及び洗濯物３６の温度を短時間で所定の温度まで上げることが可能となる。これにより，洗濯水の量を増加させた場合でも洗浄性能が向上するとともに，短時間で温水洗浄ができる。また，２種類の循環流れを一つの循環ポンプの正逆回転で行うことで，循環ポンプの数を削減し，コストを低減できる。
【００２７】
なお，循環ポンプ２４の回転方向を替えることで，吐出する経路を切り替えているが，循環ポンプ２４の吐出口を一箇所とし，その下流側で分岐させて循環ホース２４ｂと循環ホース２４ｃへの流路を切り替えても機能としてはなんら差し支えない。
【００２８】
すすぎ工程では，すすぎ１工程およびすすぎ２工程が実行される。すなわち，すすぎ１の排水工程において，制御装置３８は，排水弁２５を開弁し，外槽２内の洗濯水を排水する。なお，排水の終了判定は，水位センサ（図示せず）の検出値によって行われる。次に，（すすぎ）脱水工程において，制御装置３８は，排水終了後，洗濯兼脱水槽３を高速で回転させて洗濯物に含まれる洗濯水を脱水する。なお，このときの洗濯兼脱水槽３の回転速度は，例えば１０００ｒ/ｍｉｎ以上に設定される。続いて，回転シャワー工程において，制御装置３８は，排水弁２５を閉弁し，外槽給水電磁弁（図示せず）を開弁して，外槽２にすすぎ水を供給する。また，洗濯兼脱水槽３を回転させつつ，循環ポンプ２４を駆動して，すすぎ水を洗濯兼脱水槽３内の洗濯物に散布する。さらに，（すすぎ）脱水工程において，制御装置３８は，洗濯兼脱水槽３を高速で回転させつつ，循環ポンプ２４を停止させて，洗濯物３６からすすぎ水を脱水する。そして，回転シャワー工程において，制御装置３８は，洗濯兼脱水槽３を回転させつつ，再び循環ポンプ２４を駆動して，すすぎ水を洗濯兼脱水槽３内の洗濯物３６に散布する。
【００２９】
すすぎ２の排水工程において，制御装置３８は，洗濯兼脱水槽３および循環ポンプ２４を停止させて，排水弁２５を開弁し，外槽２内のすすぎ水を排水する。（すすぎ）脱水工程において，制御装置３８は，排水終了後，洗濯兼脱水槽３を高速で回転させて洗濯物３６に含まれる水（すすぎ水）を脱水する。給水工程において，制御装置３８は，排水弁２５を閉弁し，外槽２にすすぎ水を供給する。制御装置３８は，給水終了後，給水電磁弁を閉弁する。仕上剤給水工程において，制御装置３８は，仕上剤給水電磁弁（図示せず）を開弁し，外槽２に仕上剤を含んだすすぎ水を供給する。制御装置３８は，仕上剤給水終了後，仕上剤給水電磁弁（図示せず）を閉弁する。回転給水・補給水工程において，制御装置３８は，外槽給水電磁弁（図示せず）を開弁し，すすぎ水を外槽２内に給水する。なお，吸水性の高い洗濯物３６が投入されていて，給水量が不足する場合には，すすぎ水を補給する。また，外槽２にすすぎ水を溜めた状態で洗濯兼脱水槽３を回転させて洗濯物３６を攪拌しながらすすぎを行う。
【００３０】
次に，（最終）脱水工程に移行する。制御装置３８は，洗濯兼脱水槽３の回転を維持した状態で排出弁２５を開弁する。これにより，外槽２内の洗濯水が排水ホース２６を介して機外に排出される。（最終）脱水工程に入り，洗濯兼脱水槽３の回転数が維持された状態で，制御装置３８は，排水を完了したと判定した場合には，洗濯兼脱水槽３の回転数を上昇させる。そして，（最終）脱水工程を所定時間実行した後，排水弁２５を開けたまま，乾燥工程に移行する。図８にファン２８による循環送風時の空気の流れを示す。乾燥工程では，排水弁２５を開放したままの状態で，洗濯兼脱水槽３を正逆回転させる。そして，制御装置３８は，ファン２８を駆動させてＰＴＣヒータ３１ａ（図４参照）に通電し，ヒータユニット３１で生成された温風４３を洗濯兼脱水槽３内の洗濯物３６に吹付ける。温風４３を吹付けられることにより，洗濯物３６から水分が蒸発しする。ここで，高温多湿となった空気は，乾燥ダクト２９に吸い込まれた後，乾燥ダクト２９に内蔵されている水冷除湿機構（図示せず）で冷却除湿された低湿低温の空気となる。低湿低温の空気はファン２８に吸い込まれ，ヒータユニット３１で再加熱され，再度，洗濯兼脱水槽３内の洗濯物３６に吹付けられる。この洗濯物３６からの水分の蒸発と空気の除湿を繰返すことにより洗濯物３６が乾燥する。以上のような一連の各工程が実施されることで，この制御装置３８によるドラム式洗濯乾燥機の洗濯乾燥コースの工程が終了する。
【００３１】
このように，第１実施形態例に係るドラム式洗濯乾燥機の運転工程によれば，洗剤濃度の高い洗濯水を洗濯物３６に散布することができ，洗浄性能が向上する。また，洗濯物３６と洗濯水の洗浄温度を，短時間で所定の温度まで上げることが可能であり，短時間で温水洗浄ができる。また，洗剤濃度の高い洗濯水による温水洗浄の加熱と乾燥の加熱を１ヶ所にまとめ，一つのヒータで行うことによる構造の単純化とヒータ数の削減により，コストを低減できる。
【００３２】
次に，本発明の第２の実施形態例のドラム式洗濯乾燥機について，図９と図１０，および図１１を参照して説明する。図９は，ドラム式洗濯乾燥機の筐体の側板を外してその内部構造を概略的に示す断面図で，排水時の流れを示す。図１０は，ドラム式洗濯乾燥機の筐体の側板を外してその内部構造を概略的に示す断面図で，排水ポンプによる洗濯水の循環流れを示す。図１１は，ヒータユニットの変形例の構造と洗濯水の流れを示す斜視図である。第１の実施の形態と共通する構成については重複する説明を省略する。
【００３３】
第１の実施形態例の図２と異なる点は，排水口２７が壁面３４に設置されており，循環ポンプ２４（図２参照）の替わりに排水ポンプ３５が設置され，排水ポンプ３５を正逆回転させることにより，外槽２内の水の排出と外槽２内の貯留水をヒータユニット３１と循環させる機能を有していることである。外槽２内の水を機外へ排出する場合は，排水ポンプ３５を正回転させることにより，水受け部２ｆの洗濯水は排水口２１から循環ホース２４ａを通り，フィルタ（図示せず）を介して排水ポンプ３５に入り，吐出ポート（図示せず）から排水ホース２６に送り込まれる。これにより，排水口２７の位置が外槽２の排水口２１の位置より高くても，排水ポンプ３５の吐出圧力に応じて排出が可能となる。
【００３４】
一方，排水ポンプ３５のモータ（図示せず）が逆回転すると，外槽２内の洗濯水は排水口２１から循環ホース２４ａを通り，フィルタ（図示せず）を介して排水ポンプ３５に入り，吐出ポート（図示せず）から循環ホース２４ｃを通り，筐体１の上部のファンユニット４０に内蔵されたヒータユニット３１に送り込まれる。第１の実施の形態と同様にヒータユニット３１（図７参照）は，複数のＰＴＣヒータ３１ａの上下に複数の金属製の放熱フィン３１ｂが接合され，放熱フィン３１ｂを貫通して金属製の伝熱管３１ｃが嵌合されている。ＰＴＣヒータ３１ａの発熱による放熱フィン３１ｂの熱が伝熱管３１ｃへ伝わり，循環ホース２４ｃから伝熱管３１ｃ内を流れる洗濯水を加熱する。加熱された洗濯水は循環ホース２４ｄを通り洗濯兼脱水槽３内に散水する。ＰＴＣヒータ３１ａの出力，または，循環流量を大きくすることにより，循環する洗濯水への加熱量を増加させることができ，洗濯水及び洗濯物３６の温度を短時間で所定の温度まで上げることが可能となる。これにより，洗濯水の量を増加させた場合でも洗浄性能が向上するとともに，短時間で温水洗浄ができる。また，排水と循環流れを一つの排水ポンプの正逆回転で行うことで，ポンプの数を削減し，コストを低減できる。
【００３５】
なお，ヒータユニット３１の変形例としてＰＴＣヒータ３１ａの替わりにシーズヒータ３１ｄを用いたヒータユニット３１の構造と洗濯水の流れを示す。ヒータユニット３１（図１１参照）は，つづら折り状のシーズヒータ３１ｄの下側に金属製の伝熱管３１ｃがロウ付けなどで接合されている。シーズヒータ３１ｄの熱が伝熱管３１ｃへ伝わり，循環ホース２４ｃから伝熱管３１ｃ内を流れる洗濯水を加熱する。加熱された洗濯水は循環ホース２４ｄを通り洗濯兼脱水槽３内に散水する。シーズヒータ３１ｄの出力，または，循環流量を大きくすることにより，循環する洗濯水への加熱量を増加させることができ，洗濯水及び洗濯物３６の温度を短時間で所定の温度まで上げることが可能となる。これにより，第２の実施形態例の効果と同様に洗濯水の量を増加させた場合でも洗浄性能が向上するとともに，短時間で温水洗浄ができる。また，２種類の循環流れを一つの循環ポンプの正逆回転で行うことで，循環ポンプの数を削減し，コストが低減できる。さらに，シーズヒータ３１ｄを用いることによりヒータユニット３１の構造が単純化され，コストを低減できる。
【符号の説明】
【００３６】
１  筐体
１ａ  側板
１ｃ  前面カバー
１ｄ  背面カバー
１ｅ  上面カバー
１ｆ  下部前面カバー
１ｈ  ベース
２  外槽
２ｃ  吸気口
２ｄ  外槽カバー
３  洗濯兼脱水槽（内槽）
３ａ  開口部
３ｂ  リフタ
３ｃ  流体バランサ
３ｄ  フランジ
４  モータ
４ａ  回転軸
５  ダンパ
６  操作パネル
７  トレイ
８  乾燥フィルタ
９  ドア
９ｄ  ドア開放ボタン
１０  ゴム製のベローズ  
１２，１３  操作ボタン
１４  表示器
１６  給水ホース接続口
１７  吸水ホース接続口
２１，２７  排水口
２４  循環ポンプ
２４ａ，２４ｂ，２４ｃ，２４ｄ  循環ホース
２５  排水弁
２６  排水ホース
２８  ファン
２９  乾燥ダクト
２９ａ  蛇腹ホース
３０  温風ダクト
３０ａ  ベローズ
３１  ヒータユニット
３１ａ  ＰＴＣヒータ
３１ｂ  放熱フィン
３１ｃ  伝熱管
３１ｄ  シーズヒータ
３２  温風吹出ノズル
３３  床面
３５  排水ポンプ
３６  洗濯物
３７  前補強材
３８  制御装置
３９  電源スイッチ
４０  ファンユニット
４１  ファンケース
４２  空気
４３  温風
【図１】
2018094112.tif 000003
【図２】
2018094112.tif 000004
【図３】
2018094112.tif 000005
【図４】
2018094112.tif 000006
【図５】
2018094112.tif 000007
【図６】
2018094112.tif 000008
【図７】
2018094112.tif 000009
【図８】
2018094112.tif 000010
【図９】
2018094112.tif 000011
【図１０】
2018094112.tif 000012
【図１１】
2018094112.tif 000013